(57)【要約】【課題】  利用者は、メッセージ等の投稿情報を仮想的に投稿した地点に記憶させることができ、投稿した地点の近傍に訪れた他の利用者も前記投稿情報を閲覧することができる情報伝達システムおよび情報伝達方法を提供する。【解決手段】  携帯電話１０から送信された投稿情報を、投稿した地点の位置情報に関連付けてＷｅｂサーバ２０の投稿情報データベース２２に記憶することで、利用者は投稿した地点に仮想的に投稿情報を記憶させることができる。Ｗｅｂサーバ２０から携帯電話１０に伝達されるコンテンツは、携帯電話１０の位置情報に基づき伝達情報生成手段２１によって生成され、利用者は投稿した地点の近傍で前記投稿情報を閲覧することができる。【選択図】      図１
2005275985.tif 000002
【特許請求の範囲】
【請求項１】
ネットワーク通信が可能な情報端末と、ネットワークに接続され前記情報端末に情報を伝達する情報伝達サーバとから成る情報伝達システムであって、
前記情報端末は位置情報を検出する位置検出手段を少なくとも備え、
前記情報伝達サーバは、前記情報端末から投稿される投稿情報を、前記投稿情報が投稿された位置情報に関連付けて記憶する投稿情報記憶手段と、前記投稿情報記憶手段に記憶された前記投稿情報から前記情報端末の位置情報に基づいて前記投稿情報を抽出し、前記情報端末に伝達する伝達情報を生成する伝達情報生成手段とを少なくとも備えたことを特徴とする情報伝達システム。
【請求項２】
請求項１に記載の情報伝達システムにおいて、前記情報伝達サーバが具備する前記伝達情報生成手段は、前記投稿情報を抽出する抽出範囲を前記情報端末の位置情報に基づいて演算する抽出範囲演算機能を備え、前記抽出範囲内の位置情報に関連付けられて記憶された前記投稿情報から前記伝達情報を生成する手段であることを特徴とする情報伝達システム。
【請求項３】
請求項２に記載の情報伝達システムにおいて、前記情報端末が具備する位置検出手段は位置情報と移動方向情報を検出する機能を備え、前記情報伝達サーバが具備する前記伝達情報生成手段に備えられた前記抽出範囲演算機能は、前記情報端末の位置情報および移動方向情報に基づいて抽出範囲を演算する抽出範囲演算機能であることを特徴とする情報伝達システム。
【請求項４】
請求項１から３のいずれかひとつに記載の情報伝達システムにおいて、前記位置情報は高度情報を含む位置情報であることを特徴とする情報伝達システム。
【請求項５】
請求項１から請求項４のいずれかひとつに記載の情報伝達システムにおいて、前記情報端末から投稿される前記投稿情報は、前記情報伝達システム内で伝達される情報のテーマとなるテーマ情報または前記テーマ情報に対するメッセージ情報であり、前記情報伝達サーバが具備する前記投稿情報記憶手段には、前記投稿情報として、前記テーマ情報と前記テーマ情報に関連付けて前記メッセージ情報を記憶することを特徴とする情報伝達システム。
【請求項６】
請求項５に記載の情報伝達システムにおいて、前記伝達情報生成手段で生成される伝達情報は、前記テーマ情報と前記テーマ情報に関連付けられた前記メッセージ情報を少なくとも含むことを特徴とする情報伝達システム。
【請求項７】
請求項１から請求項６のいずれかひとつに記載の情報伝達システムにおいて、前記投稿情報と共に前記投稿情報に関連付けて前記投稿情報の付属情報を情報伝達システムが具備する前記投稿情報記憶手段に記録し、前記伝達情報生成手段は、前記付属情報を利用して伝達情報を生成することを特徴とする情報伝達システム。
【請求項８】
請求項７に記載された情報伝達システムにおいて、前記付属情報は利用者を識別する利用者識別情報であることを特徴とする情報伝達システム。
【請求項９】
請求項７に記載された情報伝達システムにおいて、前記付属情報は時間情報であることを特徴とする情報伝達システム。
【請求項１０】
請求項７に記載された情報伝達システムにおいて、前記付属情報は前記利用者識別情報と前記時間情報であることを特徴とする情報伝達システム。
【請求項１１】
利用者が所持する情報端末から投稿された投稿情報を情報伝達サーバが記憶する情報投稿工程と、情報伝達サーバが記憶された前記投稿情報を利用者に伝達する情報伝達工程とから成る情報伝達方法であって、
前記情報投稿工程は、情報端末から位置情報と投稿情報が前記情報伝達サーバに送信されるステップと、前記情報伝達サーバが前記投稿情報を前記位置情報に関連付けて記憶するステップとを少なくとも備えた情報投稿工程であって、
前記情報伝達工程は、前記情報端末が位置情報を前記情報伝達サーバに送信するステップと、前記情報伝達サーバが、受信した位置情報に基づいて前記情報投稿工程で記録した投稿情報から伝達する伝達情報を生成し、前記情報端末に前記伝達情報を送信するステップとを少なくとも備えた情報伝達工程であることを特徴とする情報伝達方法。
【請求項１２】
利用者が所持する情報端末から投稿された投稿情報を情報伝達サーバが記憶する情報投稿工程と、情報伝達サーバが記録された前記投稿情報を利用者に伝達する情報伝達工程とから成る情報伝達方法であって、
前記情報投稿工程は、情報端末から位置情報と投稿情報が前記情報伝達サーバに送信されるステップと、前記情報伝達サーバが前記投稿情報を前記位置情報に関連付けて記憶するステップとを少なくとも備えた情報投稿工程であって、
前記情報伝達工程は、前記情報端末が位置情報および移動方向情報、もしくは位置情報のみを前記情報伝達サーバに送信するステップと、前記情報伝達サーバが、受信した位置情報および移動方向情報、もしくは受信した位置情報のみに基づいて前記投稿情報を抽出する抽出領域を演算するステップと、演算した抽出領域内の位置情報に関連付けれて記憶された前記投稿情報を抽出するステップと、抽出した投稿情報から伝達する伝達情報を生成し、前記情報端末に伝達情報を送信するステップとを少なくとも備えた情報伝達工程であることを特徴とする情報伝達方法。
【発明の詳細な説明】
【技術分野】
【０００１】
本発明は、複数の利用者間で情報伝達が可能な情報伝達システムおよび情報伝達方法に関し、更に詳しくは利用者の位置情報に基づいた情報を伝達する情報伝達システムおよび情報伝達方法に関する。
【背景技術】
【０００２】
近年、情報のネットワーク化が進むにつれ、電子掲示板等に代表されるように、複数の利用者間で情報伝達可能な情報伝達システムが開発されている。例えば電子掲示板においては、複数の利用者が、コンピュータ等の情報端末を用いてネットワーク上のサーバにアクセスし、電子掲示板の情報を閲覧したり、電子掲示板に情報を書込むことで、複数の利用者間でメッセージ交換が行なえるようにしたコンピュータシステムである（例えば、特許文献１）。
【０００３】
前述した電子掲示板等の情報伝達システムにおいては、複数の利用者間で容易にメッセージ交換が行なえるものの、前記情報伝達システムから伝達される情報は、利用者の位置情報に関わらず同一である。同時刻に電子掲示板にアクセスした利用者には、利用者の現在位置に関わらず同じ情報が伝達される。
【０００４】
利用者の位置情報に応じて利用者へ伝達する情報を変更するコンピュータシステムとしては、観光地等の案内サービス等において、ネットワークを利用した情報提供システムが開示されている（例えば特許文献２）。前記情報提供システムにおいては、利用者は現在位置を計測する手段を備えた情報端末を所持し、利用者に情報を提供する情報提供サーバは、前記情報端末から送信される位置情報に基づいた情報を利用者に提供する。利用者は前記情報提供システムを用いることで、観光地の史跡・名所等にて、前記史跡・名所等に関する情報をリアルタイムで入手できる。
【０００５】
また、上述の機能に加えて、観光地の史跡・名所等において利用者が作成した情報（例えば写真画像）を記憶できる情報提供システムも開示されている（例えば特許文献３）。この情報提供システムにおいては、利用者は、観光地の史跡・名所等にて前記史跡・名所等に関する情報をリアルタイムに入手できると伴に、写真または映像等の利用者が作成した情報を情報提供システムが具備するデータセンター等に記憶できる。
【特許文献１】特開平９−２３１０４０公報
【特許文献２】特開２００１−３１２４３７公報
【特許文献３】特開２００３−４４５５２号公報
【発明の開示】
【発明が解決しようとする課題】
【０００６】
しなしながら、前述した従来の情報伝達システムまたは情報提供システムには、次の問題点がある。
【０００７】
第１の問題点は、従来の情報伝達システムまたは情報提供システムにおいては、利用者がシステムに記憶させた情報は、前記情報の対象となる対象物（例えば、観光地の史跡、名所の建造物等、電子掲示板の一つの題材）との空間的な密接度に欠ける点である。ここで空間的な密接度とは、対象物と利用者が記憶させた情報との距離的な関係を意味する。
【０００８】
前述した従来の情報伝達システムにおいては、ある対象物（電子掲示板ではテーマ）に対して複数の利用者がメッセージを交換できるが、同時刻に前記情報伝達システムにアクセスした利用者には、利用者の現在位置に関わらず、前記情報伝達システムからは同じ情報が伝達されるため、他の利用者が書き込んだメッセージから臨場感を得ることは難しい。
【０００９】
また、従来の情報提供システムで記憶される情報は、利用者がホームページや旅行記等を作成するために個人的に利用される情報であって、従来の情報提供システムでは、利用者は対象物のある位置に利用者の感情等を記述した情報（例えば、メッセージ）を記憶させることができない。現状、対象物のある場所にメッセージ等の情報を残すために「らくがき」と称する行為を行なう者もいる。当然、「らくがき」は違法行為であり、観光地の風景を損ねるため好ましくない。
【００１０】
更に第２の問題点は、従来の情報提供システムにおいて、利用者が前記情報提供システムに記憶する情報は、前述のように利用者が個人的に利用する情報であって、他の利用者と情報の共有化ができない点である。たとえ、利用者が個人のホームページで前記情報提供システムに記憶した情報を公開したとしても、それはあくまでも利用者が個人的に行なう行為であって、情報の共有化とは呼べない。
【００１１】
更に第３の問題点は、従来の情報提供システムにおいては、予め観光協会または旅行会社等が対象物を設定し、利用者自身が対象物を設定することができない点である。利用者が興味を持つ対象物は利用者ごとで異なる。例えば、同じ建物を見学しても、建物の外観に興味を持つ者もいれば、建物の内装（例えば家具）に興味を持つ者いる。利用者が対象物を設定できることは、情報提供システムをユーザ志向にする意味で好ましい。
【００１２】
そこで本発明は上記問題を鑑みて、複数の利用者間で情報伝達可能な情報伝達システムにおいて、利用者は、仮想的に記憶させたい地点にメッセージ等の投稿情報を記憶することができ、さらに、投稿された地点に訪れた他の利用者が前記投稿情報を閲覧することができ、加えて、利用者が対象物を設定できる情報伝達システムおよび情報伝達方法を提供することを目的とする。
【課題を解決するための手段】
【００１３】
上述の課題を解決するために、第１の課題解決手段は、ネットワーク通信が可能な情報端末と、ネットワークに接続され前記情報端末に情報を伝達する情報伝達サーバとから成る情報伝達システムであって、前記情報端末は位置情報を検出する位置検出手段を少なくとも備え、前記情報伝達サーバは、前記情報端末から投稿される投稿情報を、前記投稿情報が投稿された位置情報に関連付けて記憶する投稿情報記憶手段と、前記投稿情報記憶手段に記憶された前記投稿情報から前記情報端末の位置情報に基づいて前記投稿情報を抽出し、前記情報端末に伝達する伝達情報を生成する伝達情報生成手段とを少なくとも備えたことを特徴とする情報伝達システムである。
【００１４】
第１の課題解決手段の情報伝達システムの作用は次の通りである。情報端末から送信された投稿情報は、投稿された地点の位置情報に関連付けられて、情報伝達サーバの前記投稿情報記憶手段に記憶される。前記情報端末に伝達される伝達情報は、前記情報端末の位置情報に基づき前記伝達情報生成手段によって生成される。利用者は、第１の課題解決手段の情報伝達システムを利用することで、仮想的に投稿情報を投稿した地点に記憶させることができ、また前記投稿情報は投稿された地点で閲覧される。利用者が投稿された地点で投稿情報を閲覧することで、利用者は投稿情報に対する深い臨場感を得ることができる。
【００１５】
更に第２の課題解決手段は、第１の課題解決手段に記載の情報伝達システムにおいて、前記情報伝達サーバが具備する前記伝達情報生成手段は、前記投稿情報を抽出する抽出範囲を前記情報端末の位置情報に基づいて演算する抽出範囲演算機能を備え、前記情報抽出範囲内の位置情報に関連付けられて記憶された前記投稿情報から前記伝達情報を生成する手段であることを特徴とする情報伝達システムである。
【００１６】
第２の課題解決手段に記載の情報伝達システムによれば、利用者は現在位置の近傍で記憶された投稿情報を閲覧することができる。
【００１７】
更に第３の課題解決手段は、第２の課題解決手段に記載の情報伝達システムにおいて、前記情報端末が具備する位置検出手段は位置情報と移動方向情報を検出する機能を備え、前記情報伝達サーバが具備する前記伝達情報生成手段に備えられた前記抽出範囲演算機能は、前記情報端末の位置情報および移動方向情報に基づいて抽出範囲を演算する抽出範囲演算機能であることを特徴とする情報伝達システムである。
【００１８】
第３の課題解決手段に記載の情報伝達システムによれば、利用者は移動方向上に記憶されている投稿情報を閲覧できる。
【００１９】
更に第４の課題解決手段は、第１の課題解決手段から第３の課題解決手段のいずれかひとつに記載の情報伝達システムにおいて、前記位置情報は高度情報を含む位置情報であることを特徴とする情報伝達システムである。
【００２０】
第４の課題解決手段の情報伝達システムによれば、前記位置情報を高度情報を含む位置情報とすることで、利用者がいる高度によって前記伝達情報は変更される。例えば、高層建造物においては、1階にいる利用者に伝達される伝達情報と、最上階にいる利用者に伝達される伝達情報は異なる。
【００２１】
更に第５の課題解決手段は、第１の課題解決手段から第４の課題解決手段のいずれかひとつに記載の情報伝達システムにおいて、前記情報端末から投稿される前記投稿情報は、前記情報伝達システム内で伝達される情報のテーマとなるテーマ情報または前記テーマ情報に対するメッセージ情報であり、前記情報伝達サーバが具備する前記投稿情報記憶手段には、前記投稿情報として、前記テーマ情報と前記テーマ情報に関連付けて前記メッセージ情報を記憶することを特徴とする情報伝達システムである。
【００２２】
更に第６の課題解決手段は、第５の課題解決手段に記載の情報伝達システムにおいて、前記伝達情報生成手段で生成される伝達情報は、前記テーマ情報と前記テーマ情報に関連付けられた前記メッセージ情報を少なくとも含むことを特徴とする情報伝達システムである。
【００２３】
第５、第６の課題解決手段の作用は次のとおりである。第５、第６の課題解決手段に記載の情報伝達システムを用いれば、利用者はテーマ情報（例えば、前述した対象物をデジタル化した情報）を前記情報伝達サーバに投稿することができ、利用者が前記テーマ情報を投稿できることで、前記情報伝達システムのユーザ志向性が強まる。
【００２４】
また利用者が前記テーマ情報に対する感想等の前記メッセージ情報を投稿／閲覧できることで、あるテーマ情報に関して、複数の利用者間で前記メッセージ情報を交換できる情報伝達システムを提供できる。
【００２５】
更に第７の課題解決手段は、第１の課題解決手段から第６の課題解決手段のいずれかひとつに記載の情報伝達システムにおいて、前記投稿情報と共に前記投稿情報に関連付けて前記投稿情報の付属情報を情報伝達システムが具備する前記投稿情報記憶手段に記録し、前記伝達情報生成手段は、前記付属情報を利用して伝達情報を生成することを特徴とする情報伝達システムである。
【００２６】
更に第８の課題解決手段は、第７の課題解決手段に記載された情報伝達システムにおいて、前記付属情報は利用者を識別する利用者識別情報であることを特徴とする情報伝達システムである。
【００２７】
更に第９の課題解決手段は、第７の課題解決手段に記載された情報伝達システムにおいて、前記付属情報は時間情報であることを特徴とする情報伝達システムである。
【００２８】
更に第１０の課題解決手段は、第７の課題解決手段に記載された情報伝達システムにおいて、前記付属情報は前記利用者識別情報と前記時間情報であることを特徴とする情報伝達システムである。
【００２９】
第７から第１０の課題解決手段の作用は、前記伝達情報が前記付属情報を利用して生成されることで、前記付属情報に対応した表示効果を前記伝達情報が有することができる。例えば、前記利用者識別情報を利用することで、情報伝達システムにアクセスした利用者が投稿した投稿情報を他の投稿情報を区別して表示できる。また前記時間情報を利用することで、一定の時間が経過した投稿情報は表示しないこともできる。
【００３０】
更に第１１の課題解決手段は、利用者が所持する情報端末から投稿された投稿情報を情報伝達サーバが記憶する情報投稿工程と、情報伝達サーバが記憶された前記投稿情報を利用者に伝達する情報伝達工程とから成る情報伝達方法であって、前記情報投稿工程は、情報端末から位置情報と投稿情報が前記情報伝達サーバに送信されるステップと、前記情報伝達サーバが前記投稿情報を前記位置情報に関連付けて記憶するステップとを少なくとも備えた情報投稿工程であって、前記情報伝達工程は、前記情報端末が位置情報を前記情報伝達サーバに送信するステップと、前記情報伝達サーバが、受信した位置情報に基づいて前記情報投稿工程で記録した投稿情報から伝達する伝達情報を生成し、前記情報端末に前記伝達情報を送信するステップとを少なくとも備えた情報伝達工程であることを特徴とする情報伝達方法である。
【００３１】
第１１の課題解決手段の情報伝達方法の作用は次の通りである。情報端末から送信された投稿情報は、投稿された地点の位置情報に関連付けられて、情報伝達サーバの前記投稿情報記憶手段に記憶される。前記情報端末に伝達される伝達情報は、前記情報端末の位置情報に基づき生成される。利用者は、第１０の課題解決手段の情報伝達方法を用いることで、仮想的に投稿情報を投稿した地点に記憶させることができ、また前記投稿情報は投稿された地点で閲覧される。利用者が投稿情報が投稿された地点でメッセージ等の意見交換を行なうことで、利用者は投稿情報から深い臨場感を得ることができる。
【００３２】
更に第１２の課題解決手段は、利用者が所持する情報端末から投稿された投稿情報を情報伝達サーバが記憶する情報投稿工程と、情報伝達サーバが記録された前記投稿情報を利用者に伝達する情報伝達工程とから成る情報伝達方法であって、前記情報投稿工程は、情報端末から位置情報と投稿情報が前記情報伝達サーバに送信されるステップと、前記情報伝達サーバが前記投稿情報を前記位置情報に関連付けて記憶するステップとを少なくとも備えた情報投稿工程であって、前記情報伝達工程は、前記情報端末が位置情報および移動方向情報、もしくは位置情報のみを前記情報伝達サーバに送信するステップと、前記情報伝達サーバが、受信した位置情報および移動方向情報、もしくは受信した位置情報のみに基づいて前記投稿情報を抽出する抽出領域を演算するステップと、演算した抽出領域内の位置情報に関連付けれて記憶された前記投稿情報を抽出するステップと、抽出した投稿情報から伝達する伝達情報を生成し、前記情報端末に伝達情報を送信するステップとを少なくとも備えた情報伝達工程であることを特徴とする情報伝達方法である。
【００３３】
第１２の課題解決手段に記載の情報伝達方法によれば、利用者は現在位置の近傍で記憶された投稿情報を閲覧することができる。
【発明の効果】
【００３４】
これまで述べた情報伝達システムおよび情報伝達方法によれば、利用者はメッセージ等の投稿情報を残したい地点に仮想的に投稿情報を記憶させることができ、また前記地点の近傍に訪れたすべての利用者が前記投稿情報を閲覧することができることで、複数の利用者間でメッセージ等の投稿情報を交換できる情報伝達システムを提供できる。更には、利用者間のテーマとなる情報を利用者が設定できることで、情報伝達システムのユーザ志向性が強まる。
【発明を実施するための最良の形態】
【００３５】
以下、本発明の好適な実施の形態の一例について、図を参照しながら詳細に説明する。最初に本発明の情報伝達システムのシステム構成について説明し、次に本発明の情報伝達方法の手順について説明し、本実施の形態の効果について説明し、最後に他の実施の形態について説明する。
【００３６】
〔情報伝達システム構成の説明〕
図１は、本実施の形態の情報伝達システムの構成図である。図１に示すように、本実施の形態の情報伝達システムは、情報端末して利用者が所持する携帯電話１０と、携帯電話１０に情報を伝達する情報伝達サーバとしてインターネット９１に接続されたＷｅｂサーバ２０（World Wide Ｗｅｂサーバの略）とから構成されている。
【００３７】
＜情報端末（携帯電話）の説明＞
本実施の形態で情報端末として用いる携帯電話１０には、位置情報および移動方向情報を計測する位置検出手段１１と、Ｗｅｂサーバ２０から伝達される伝達情報（以下、コンテンツと記す）を表示するコンテンツ表示手段１３と、Ｗｅｂサーバ２０に投稿する投稿情報を作成する投稿情報作成手段１２と、情報を記憶する記憶部１４とを備えている。また図示はしていないが、携帯電話網９０およびインターネット９１を介してＷｅｂサーバ２０と通信できる無線通信手段を備えている。
【００３８】
位置検出手段１１とは、携帯電話１０の現在位置および移動方向を計測する手段である。利用者が携帯電話１０を所持することで、携帯電話１０の現在位置および移動方向から、利用者の現在位置および移動方向が特定できる。
【００３９】
位置検出手段１１は、携帯電話１０が具備するＧＰＳ（Global Positioning Systemの略）機能で実現される。携帯電話１０は、ＧＰＳ機能を用いて、人工衛星の信号から携帯電話１０自身の正確な現在位置および移動方向を測定する。
【００４０】
コンテンツ表示手段１３は、Ｗｅｂサーバ２０から伝達されるコンテンツを表示する手段で、携帯電話１０が具備するディスプレイとブラウザで実現される。利用者は、携帯電話１０に備わっているコンテンツ表示手段１３を利用して、Ｗｅｂサーバ２０から伝達されるコンテンツを閲覧できる。
【００４１】
投稿情報作成手段１２とは、Ｗｅｂサーバ２０に投稿する投稿情報を作成する手段である。投稿情報作成手段１２は、携帯電話１０の文章作成機能、携帯電話１０の音声データ作成機能、携帯電話１０に組み込まれたデジタルカメラによるデジタル写真撮影機能または外部情報読み込み機能等で実現される。投稿情報作成手段１２で作成された投稿情報は、位置検出手段１１で検出した位置情報および移動方向情報と共にＷｅｂサーバ２０に送信される。
【００４２】
記憶部１４とは、情報を記憶する手段で、携帯電話１０が具備するメモリで実現される。記憶部１４にはＷｅｂサーバ２０のＵＲＬ（Uniform Resource Locator の略）が記憶されている。携帯電話１０は、携帯電話網９０およびインターネット９１を経由して、ＵＲＬで特定されるＷｅｂサーバ２０にアクセスすることができる。
【００４３】
また投稿情報作成手段１２で生成された投稿情報も記憶部１４に記憶することができる。記憶部１４に記憶された投稿情報は、ブラウザにて選択され、Ｗｅｂサーバ２０に送信される。
【００４４】
＜Ｗｅｂサーバの説明＞
Ｗｅｂサーバ２０とは、インターネット９１上で稼動し、携帯電話１０にコンテンツを伝達するコンピュータシステムである。Ｗｅｂサーバ２０には、位置情報に関連付けて投稿情報を記憶する投稿情報記憶手段として投稿情報データベース２２と、携帯電話１０の番号に関連付けて利用者を識別する情報（以下、利用者識別情報と記す）を記憶した利用者データベース２３と、携帯電話１０から送信される位置情報および移動方向情報に基づいて伝達情報（コンテンツ）を生成する伝達情報生成手段としてコンテンツ生成手段２１と、携帯電話１０から送信される投稿情報を投稿情報データベース２２に記憶する投稿情報登録手段２４とを少なくとも備えている。
【００４５】
投稿情報データベース２２とは、携帯電話１０から受信した投稿情報を同じく携帯電話１０から受信した位置情報に関連付けて記憶したデータベースである。本実施の形態において投稿情報データベース２２には、投稿情報として、テーマ情報となる史跡等の対象物の情報（以下、対象物情報と記す）およびテーマ情報に対するメッセージ情報である感情情報が前記対象物情報に関連付けられて記憶される。
【００４６】
投稿情報データベース２２に記憶される対象物情報について説明する。対象物とは、現実の世界に存在する物（例えば、石であるが著名な史跡や、柱の傷といった利用者個人的には重要なもの）や概念的なもの（例えば、漫画）を意味する。対象物情報とは対象物をデジタル化した情報（例えば写真画像、映像、漫画画像等）で、位置情報と関連付けられて投稿情報データベースに記憶される。投稿情報データベース２２に記憶される対象物情報には付属情報として、対象物時間属性（対象物情報が投稿された時間）および対象物投稿者属性（対象物情報を投稿した利用者の利用者識別情報）が付加される。
【００４７】
利用者が対象物情報を投稿するので、運用開始時の投稿情報データベース２２には対象物情報が一つもなくても構わないが、情報伝達システムの運営者（例えば、旅行代理店）等が事前に対象物情報を設定していても構わない。
【００４８】
投稿情報データベース２２に記録される感情情報について説明する。感情情報とは、対象物情報に対する利用者の個人的な感情等を記述した情報で、例えば利用者の感情を記述したテキストデータ、音声データである。感情情報は前記対象物情報に関連付けられて投稿情報データベースに記憶され、投稿情報データベースに記憶される感情情報の付属情報として、感情情報時間属性（感情情報が投稿された時間）および感情情報投稿者属性（感情情報を投稿した利用者の利用者識別情報）が付加される。
【００４９】
図２は、投稿情報データベース２２に記憶される対象物情報と感情情報の論理構成例を示した図である。図２に示すように本実施の形態においては、対象物情報３０と感情情報３１、３２の論理構成は階層構造としている。一つの対象物情報３０には感情情報３１が関連付けられて記憶され、感情情報３１には感情情報３２が関連付けられて記憶される。本実施の形態においては、対象物情報３０と感情情報３１、３２の階層構造は、対象物情報３０も含めて３階層としている。便宜的に２階層目の感情情報３１をレベル１感情情報（レベル１感情情報の属性にもレベル１を付加して記す）と記し、３階層目の感情情報３２をレベル２感情情報（レベル２感情情報の属性にもレベル２を付加して記す）と記す。
【００５０】
図３は、投稿情報データベース２２を説明するための図である。図３（ａ）に示すごとく、投稿情報データベース２２は、異なる３つのデータベースから構成されている。位置情報に関連付けて対象物情報を記憶した位置情報データベース２２０と、対象物情報に関連付けてレベル１感情情報を記憶したレベル１データベース２２１と、レベル１感情情報に関連付けてレベル２感情情報を記憶したレベル２データベース２２２である。また、上述の各データベースには、対象物情報および感情情報の付属情報も記憶される。
【００５１】
図３（ｂ）に示すごとく、位置情報データベース２２０の一つのレコードには、携帯電話１０から受信した位置情報をキー情報として、対象物情報、対象物時間属性、対象物投稿者属性および対象物キー情報が記憶される。図３（ｃ）に示すごとく、レベル１データベース２２１の一つのレコードには、対象物キー情報をキー情報として、レベル１感情情報、レベル１感情情報時間属性、レベル１感情情報投稿者属性およびレベル１キー情報が記憶される。図３（ｄ）に示すごとく、レベル２データベース２２２の一つのレコードには、レベル１キー情報をキー情報として、レベル２感情情報、レベル２感情情報時間属性、レベル２感情情報投稿者属性が記憶される。ここで対象物キーおよびレベル１キーは、投稿情報データベース２２が任意に割り当てるキー情報（例えばレコード番号）である。
【００５２】
投稿情報データベース２２を用いることで、携帯電話１０から送信された位置情報に基づいて投稿情報（対象物情報、レベル１感情情報およびレベル２感情情報）を取得できる。すなわち、位置情報に基づく対象物情報を位置情報データベース２２０から取得し、取得した対象物情報に対応するレベル１感情情報をレベル１データベース２２１から取得し、レベル１感情情報に対応するレベル２感情情報をレベル２データベース２２２から取得できる。
【００５３】
利用者データベース２３とは、情報端末固有の情報（本実施の形態においては携帯電話１０の番号）に関連付けて利用者を識別する利用者識別情報を記憶したデータベースである。利用者データベース２３を用いることで、Ｗｅｂサーバ２０にアクセスした携帯電話１０の番号から、前記携帯電話１０を所持する利用者の利用者識別情報を取得することができる。
【００５４】
ここで利用者識別情報としては、情報端末固有の情報（例えば、携帯電話１０の番号を暗号化した情報）、利用者が任意に設定したユーザネーム（例えば、投稿した際に設定するペンネーム等）、Ｗｅｂサーバが任意に割り当てた番号（例えば、利用者ごとに割り当てられたシリアル番号）などである。
【００５５】
コンテンツ生成手段２１とは、携帯電話１０から送信される位置情報および移動方向情報ならびに携帯電話１０の番号から、利用者に伝達するコンテンツを生成する手段である。コンテンツ生成手段２１は、前記位置情報および前記移動方向情報に基づいて投稿情報データベースから投稿情報を抽出し、抽出した投稿情報から伝達するコンテンツを生成し、生成したコンテンツを携帯電話１０に伝達する。
【００５６】
なお、本実施の形態においてコンテンツは、ＨＴＭＬ（HyperText Markup Languageの略）、ＸＭＬ（eXtensible Markup Languageの略）、ＸＨＴＭＬ（eXtensible HyperText Markup Languageの略）、ＪＡＶＡ（登録商標）等のプログラミング言語で記述される。
【００５７】
コンテンツ生成手段２１が、投稿情報を抽出する動作について説明する。コンテンツ生成手段２１は、携帯電話１０から送信された位置情報および移動方向情報から、投稿情報を抽出する抽出領域を演算し、前記抽出領域内の位置情報に関連付けられて記憶された投稿情報を抽出する。
【００５８】
図４は、抽出領域の一例を示した図である。図４においては、抽出領域は扇形領域４０で、扇形領域４０は、扇形領域４０の中心点４１が携帯電話１０から送信された地点（携帯電話１０から送信した位置情報に対応する地点）、扇形領域４０の中心角４２がθ度（例えば１２０度）、半径４３がＲメートル（例えば、２００メートル）、扇形領域４０の中心線方向４４が移動方向軸４６で、円弧４５が移動方向先にある扇形である。なお、図４の「ア」、「イ」および「ウ」は投稿情報が投稿された地点を示している。
【００５９】
図４においては、利用者に伝達するコンテンツを生成するために抽出される投稿情報は、扇形領域４０内の位置情報に関連付けられて記録されている投稿情報（すなわち、地点アおよび地点イで投稿された投稿情報）で、扇形領域４０外の位置情報に関連付けられて記憶された投稿情報（例えば、地点ウで投稿された投稿情報）は抽出されない。
【００６０】
また図４においては、抽出領域を扇形の領域としているが、抽出領域の形状は円形、四角形、三角形等のどうような形状でもよい。また抽出領域の大きさ（例えば、図４では半径Ｒの長さ）は予め設定された固定値でもよく、また利用者が抽出領域の縮尺を変更できるようにしてもよい（例えば、図４では半径Ｒの長さを変更する）。
【００６１】
コンテンツ生成手段２１は、携帯電話１０から受信した位置情報および移動方向情報から抽出領域を演算すると、投稿情報データベースから演算した抽出領域内の位置情報に関連付けれて記憶されいる投稿情報を抽出する。投稿情報を抽出した後、コンテンツ生成手段２１は、抽出した投稿情報を表示するコンテンツを生成し、生成したコンテンツを携帯電話１０に送信する。
【００６２】
図５は、図４の扇形領域４０内で抽出される投稿情報のテーマ情報（すなわち対象物情報）を表示したコンテンツの例である。図５に示すように、対象物情報は可視化オブジェクト５０、５１（例えば、ＨＴＭＬではｉｍａｇｅ要素）で表示される。可視化オブジェクト５０、５１を表示する位置は、対象物情報を投稿した位置情報と携帯電話１０から送信された位置情報（図４では、扇形領域４０の中心点４１）との相対位置に準じた位置にしている。例えば、移動方向軸に対し左側で投稿された対象物情報の可視化オブジェクト５１（例えば、図４の地点イ）はコンテンツ内で左側に表示され、移動方向軸に対し右側で投稿された対象物情報の可視化オブジェクト５０（例えば、図４の地点ア）はコンテンツ内で右側に表示される。なお、対象物情報の時間属性および投稿者属性はコンテンツ内で表示されない。
【００６３】
また図５においては、現在位置から遠くにある対象物情報（例えば、図４の地点ア）の可視化オブジェクト５０は小さくかつコンテンツの上部に表示し、現在位置の近くにある対象物情報（例えば、図４の地点イ）の可視化オブジェクト５１は大きくかつコンテンツの下部に表示している。距離に応じて、可視化オブジェクトの大きさを変えることで、利用者に視覚的な遠近感を持たせることができる。
【００６４】
また図５においては、扇形領域４０外の位置情報（例えば、図４の地点ウ）に関連付けられて記憶されている対象物情報はコンテンツ生成手段２１によって抽出されないため、中心点４１にいる利用者に伝達されるコンテンツには表示されない。なお対象物情報登録ボタン５２は、対象物情報を投稿するために使用される。
【００６５】
図５において、利用者が携帯電話１０のブラウザにて表示されている対象物情報の可視化オブジェクトを選択すると、選択された情報がＷｅｂサーバ２０に送信される。Ｗｅｂサーバ２０のコンテンツ生成手段２１は、前記選択された対象物情報と前記選択された対象物情報に関連付けて記憶されているレベル１感情情報およびレベル２感情情報を表示するコンテンツを生成し、生成したコンテンツを携帯電話１０に送信する。
【００６６】
図６（ａ）は、図５のコンテンツにて可視化オブジェクト５１を選択した時に表示されるコンテンツの一例である。図６（ａ）に示すように、可視化オブジェクト５１を選択すると、可視化オブジェクト５１の対象物情報６１とレベル１感情情報６２、６３が表示されている。なお、レベル１感情情報時間属性とレベル２感情情報投稿者属性はコンテンツ内で表示されない。なお感情情報登録ボタン６４１は、対象物情報に対するレベル１感情情報を投稿するための使用される。
【００６７】
図６（ａ）のコンテンツにて、レベル１感情情報を選択すると、レベル１感情情報に関連付けられたレベル２感情情報が表示される。
【００６８】
図６（ｂ）は、図６（ａ）のコンテンツにてレベル１感情情報６２を選択した時に表示されるコンテンツの一例である。図６（ｂ）においては、レベル１感情情報６２に関連付けられ記憶されているレベル２感情情報６２ａ、ｂが表示されている。この際、レベル１感情情報とレベル２感情情報を識別し易くするため、レベル１感情情報とレベル２感情情報は異なる色で表示することが望ましい。なお感情情報登録ボタン６４２は、選択されたレベル１感情情報に対するレベル２感情情報を投稿するための使用される。
【００６９】
また図示はしていないが、投稿情報の表示に、投稿情報が有する付属情報（時間属性と投稿者属性）に対応した表示効果を持たせてもよい。
【００７０】
例えば投稿者属性（対象物投稿者属性、感情情報投稿者属性）に対応した表示効果として、コンテンツを閲覧している利用者の利用者識別情報と一致する投稿者属性を有する投稿情報の表示を他の利用者が投稿した投稿情報の表示と変える（例えば、異なる色で表示する）ことで、利用者は利用者自身が投稿した投稿情報を容易に識別できる。
【００７１】
また時間属性（対象物時間属性、感情情報時間属性）に対応した表示効果としては、時間属性に記憶されている時間から一定期間経過（例えば１年間）した投稿情報は表示しない仕組みを設け、かつその過程で投稿情報を見にくくする効果（例えば、表示を薄くする）を持たせてもよい。投稿情報を見にくくする効果を実現するためには、前記一定期間を細かなブロック期間に分割し、前記ブロック期間ごとに投稿情報の表示方法を変えればよい。
【００７２】
投稿情報登録手段２４とは、携帯電話１０から送信される投稿情報を投稿情報データベース２２に記憶する手段で、投稿情報登録用のコンテンツで実現される。投稿情報登録手段２４が新規に投稿情報を投稿情報データベース２２に記憶すると、コンテンツ生成手段２１は更新された投稿情報データベース２２の情報に基づきコンテンツを再度生成し、携帯電話１０に送信する。
【００７３】
まずテーマ情報（対象物情報）の登録ついて説明する。利用者は対象物情報をＷｅｂサーバ２０に送信する前に、携帯電話１０の投稿情報作成手段１２にて対象物情報とする投稿情報を作成する。対象物情報としては画像情報が好適であるが、映像情報、音声情報（音楽情報も含む）または文書情報でもよい。
【００７４】
図７は対象物情報を投稿する投稿情報登録用コンテンツの一例を説明するための図である。利用者が図５のコンテンツの対象物情報登録ボタン５２を選択すると、図７のコンテンツ（対象物情報投稿ページ）が表示される。利用者は対象物選択欄７１で携帯電話１０の記憶部１４に記憶されている対象物情報を選択し、コメント欄７２に選択した対象物情報に対するコメントを入力する。
【００７５】
利用者は図７の送信ボタン７３を選択すると、前記選択された対象物情報およびコメント欄に記入したテキスト情報、並びに位置検出手段１４で計測した位置情報および移動方向情報がＷｅｂサーバ２０に送信される。Ｗｅｂサーバ２０は利用者データベース２３を用いて、アクセスした携帯電話１０の番号から利用者識別情報を取得し、受信した位置情報をキー情報として、受信した対象物情報と、対象物情報を受信した時間（対象物時間属性）と、対象物情報を送信した利用者の利用者識別情報（対象物投稿者属性）を位置情報データベース２２０に記憶する。
【００７６】
位置情報データベース２２０に対象物情報が記憶されると、レベル１データベース２２１には投稿された対象物情報に対するレコードが新規に生成される。コメント欄に記入した情報は、投稿された対象物情報のレベル１感情情報として前記生成されたレコードに記録される。また前記レコードには、感情情報時間属性として対象物情報が投稿された時間、感情情報投稿者属性して対象物情報を投稿した利用者識別情報が記憶される。
【００７７】
次に、レコード１データベース２２１に感情情報を追加する動作について説明する。図８は、感情情報を投稿する感情情報登録用のコンテンツを説明するための図である。利用者が図６（ａ）の感情情報登録６４１ボタンを選択すると、図８のコンテンツ（感情情報投稿ページ）が表示される。利用者は、対象物情報に対するメッセージ情報としてテキスト情報を投稿する場合には、携帯電話１０の文章作成機能を用いてコメント入力欄７５にコメントを入力する。テキスト情報以外の情報を投稿する場合には、感情情報選択欄７４にて、携帯電話１０の記憶部１４に記憶されている情報（画像情報、映像情報または音声情報等の情報）を選択する。
【００７８】
利用者は図８の送信ボタン７６を押すと、コメント欄に記入した情報または選択された情報が感情情報としてＷｅｂサーバ２０に送信される。Ｗｅｂサーバ２０は利用者データベース２３を用いて、アクセスした携帯電話１０の番号から利用者識別情報を取得し、キー情報として選択された対象情報情報の対象物キー情報、レベル１感情情報として受信したコメント情報または選択された情報、レベル１感情情報時間属性として感情情報が投稿された時間およびレベル１感情情報投稿者属性として利用者識別情報を記憶したレコードが、レベル１データベースに追加される。
【００７９】
次にレベル２データベースにレベル２感情情報を投稿する動作について説明する。利用者が図６（ｂ）の感情情報登録ボタン６４２を選択すると、図８の感情情報登録用のコンテンツが表示される。前述に記述しているように携帯電話１０から感情情報がＷｅｂサーバ２０に送信されると、キー情報として選択されているレベル１感情情報のレベル１キー情報、レベル２感情情報として受信したコメント情報または選択された情報、レベル２感情情報時間属性として感情情報が投稿された時間およびレベル１感情情報投稿者属性として利用者識別情報を記憶したレコードが、レベル２データベースに追加される。
【００８０】
〔本実施の形態の情報伝達システムの動作手順〕
ここから、本実施の形態の情報伝達方法の手順について、図を参照しながら詳細に説明する。本実施の形態の情報伝達方法は、利用者が所持する情報端末（携帯電話１０）から投稿された投稿情報を情報伝達サーバ（Ｗｅｂサーバ）が記憶する情報投稿工程と、情報伝達サーバ（Ｗｅｂサーバ）が記憶した前記投稿情報を利用者に伝達する情報伝達工程とからなる。まず情報伝達工程を説明し、次に情報投稿工程について説明する。
【００８１】
＜情報伝達工程の説明＞
図９は情報伝達工程の動作手順を説明するためのフロー図である。情報伝達工程とは、Ｗｅｂサーバ２０が、投稿情報記憶手段２２に記憶した投稿情報からコンテンツを生成し、利用者にコンテンツを送信する工程である。
【００８２】
情報伝達工程の最初のステップ（Ｓ１００）は、利用者が情報端末（携帯電話１０）を用いて情報伝達サーバ（Ｗｅｂサーバ２０）にアクセスを開始するステップである。利用者は携帯電話１０に備えられたブラウザを起動させ、Ｗｅｂサーバ２０にアクセスする。ここでＷｅｂサーバ２０のネットワークアドレスまたはＵＲＬ等のサーバを特定する情報は、携帯電話１０の記憶部１４に記憶されている。
【００８３】
次のステップ（Ｓ１１０）は、携帯電話１０が位置情報検出手段１１（ＧＰＳ機能）を用いて、現在の位置情報および現在の移動方向情報を取得するステップである。携帯電話１０は取得した位置情報および移動方向情報をＷｅｂサーバ２０に送信する。
【００８４】
次のステップ（Ｓ１２０）は、Ｗｅｂサーバ２０が具備するコンテンツ生成手段２１が受信した位置情報および移動方向情報に基づいて抽出領域を演算するステップである。抽出領域の演算については前述している。
【００８５】
次のステップ（Ｓ１３０）は、コンテンツ生成手段２１が演算した抽出領域内の位置情報に関連付けれて投稿情報データベース２２内に記憶されている投稿情報からコンテンツを生成し、携帯電話１０に生成したコンテンツを伝達するステップである。
【００８６】
次のステップ（Ｓ１４０）は、Ｗｅｂサーバ２０から伝達されたコンテンツを携帯電話１０が受信し、携帯電話１０のコンテンツ表示手段１３（ディスプレイおよびブラウザ）で表示するステップである。利用者は、携帯電話１０のコンテンツ表示手段１３にて、Ｗｅｂサーバ２０から伝達されたコンテンツを閲覧できる。
【００８７】
ステップＳ１４０の処理終了後に、情報伝達工程は終了する。本実施の形態においては、情報端末（携帯電話１０）から位置情報および移動方向情報を送信したが、情報端末から位置情報のみを送信してもよい。位置情報のみを送信する場合は、位置情報のみに基づいて抽出領域が演算される。
【００８８】
加えて、情報端末の位置検出手段１１の位置検出精度が低い場合（例えば最小位置検出精度が１００メートル）は、コンテンツを生成する際に抽出領域を演算しなくてもよい。抽出領域を演算しない場合、コンテンツを生成するときに用いる投稿情報は、情報端末から送信れた位置情報に関連付けて記憶されている投稿情報になる。
【００８９】
＜情報投稿工程の説明＞
次に情報投稿工程について説明する。図１０は情報投稿工程の手順を説明するためのフロー図である。情報投稿工程とは、利用者が情報端末（携帯電話１０）を用いて投稿情報をＷｅｂサーバ２０に送信し、Ｗｅｂサーバ２０は、投稿された地点の位置情報に関連付けて受信した投稿情報を投稿情報データベース２２に記憶する工程である。
【００９０】
情報投稿工程の最初のステップ（Ｓ２００）は、利用者が所持する情報端末（携帯電話１０）を用いて情報伝達サーバ（Ｗｅｂサーバ２０）の投稿情報登録手段２４（投稿情報登録用コンテンツ）にアクセスするステップである。
【００９１】
次のステップ（Ｓ２１０）は、携帯電話１０の投稿情報作成手段１２を用いて、Ｗｅｂサーバ２０に送信する投稿情報を作成するステップである。
【００９２】
次のステップ（２２０）は、携帯電話１０が位置情報検出手段（ＧＰＳ機能）を用いて、現在の位置情報を取得するステップである。
【００９３】
次のステップ（Ｓ２３０）は、ステップＳ２１０で作成された投稿情報とステップＳ２２０で取得した位置情報とを、Ｗｅｂサーバ２０に送信するステップである。
【００９４】
次のステップ（Ｓ２４０）は、Ｗｅｂサーバ２０が、受信した位置情報に関連付けて、受信した投稿情報を投稿情報データベース２２に記憶するステップである。Ｗｅｂサーバ２０が受信した投稿情報を投稿情報データベース２２に記憶する際は、受信した投稿情報と共に受信した投稿情報の付属情報も記憶される（投稿情報が対象物情報またはレベル１感情情報の場合は、キー情報も記憶される）。
【００９５】
ステップＳ２４０の処理を実行した後、情報投稿工程は終了する。前記情報投稿工程が数多く実行されることで、Ｗｅｂサーバ２０内の対象物情報データベース２２には数多く投稿情報が記録される。
【００９６】
〔本実施の形態の効果の説明〕
これまで記述した情報伝達システムおよび情報伝達方法によれば、利用者はメッセージ等の投稿情報を残したい地点に仮想的に投稿情報を残すことができる。すなわち、位置検出手段を備えた情報端末を用いて利用者が情報伝達サーバに投稿情報を投稿し、情報伝達サーバは投稿した地点の位置情報に関連付けて投稿された前記投稿情報を投稿情報記憶手段に記憶することで、前記投稿情報は仮想的に投稿した地点に記憶される。
【００９７】
また利用者が投稿した前記投稿情報は、前記投稿情報を投稿した地点の近傍に訪れたすべての利用者が閲覧できる。すなわち、利用者が前記投稿した地点の近傍に訪れることは、利用者の位置情報に基づいて演算される抽出領域内に前記投稿情報を投稿した位置情報が含まれることを意味し、前記抽出領域内の位置情報に関連付けられて記憶された前記投稿情報は利用者に伝達される。言い替えれば、前記投稿情報を投稿した位置の近傍にいない利用者には前記投稿情報は伝達されない。
【００９８】
更に、利用者はテーマ情報（本実施の形態においては対象物情報）に対するメッセージ情報（本実施の形態においては感情情報）を投稿できるので、複数の利用者間でテーマ情報に対するメッセージ情報を交換できる。また、前記テーマ情報は利用者が任意に設定できる。
【００９９】
〔他の実施の形態についての説明〕
これまで述べた本発明の実施の形態は、本発明の好適な実施例を記述したに過ぎない。本発明の原理を具体化すれば、様々な他の実施の形態で実現できる。以下に、他の実施の形態について記述する。
【０１００】
＜情報端末の他の実施の形態についての説明＞
前述の実施の形態においては、利用者が所持する情報端末を携帯電話１０としているが、他の情報端末を用いても本発明は実現できる。例えば、ＧＰＳ機能を備えたモバイルコンピュータ、ＧＰＳ機能を備えたＰＤＡ（Personal Digital Assistance の略）、ＰＨＳ（Personal Handyphone System の略）等の位置検出手段を備え、ネットワーク通信が可能なコンピュータ機器を情報端末として用いることができる。
【０１０１】
また前述の実施の形態においては、位置検出手段としてＧＰＳを使用しているが、利用者の現在位置を計測できる他の位置検出手段１１を用いてもよい。例えば、ＰＨＳの基地局を利用した位置検出手段や、ＩＣタグを利用した位置検出手段である。
【０１０２】
ここで、ＩＣタグを利用した位置検出手段とは、利用者は、利用者を識別できる情報を記憶したＩＣタグを所持し、情報伝達サーバに接続された複数のＩＣタグリーダライタを史跡等に設置し、利用者がアクセスしたＩＣタグリーダライタの情報から、情報伝達サーバがアクセスした利用者と利用者の位置情報を特定する位置検出手段である。
＜情報伝達サーバの他の実施の形態＞
【０１０３】
前述の実施の形態においては、情報伝達サーバをＷｅｂサーバ２０としているが、本発明の情報伝達サーバは、ネットワーク上で稼動し、情報端末に対して情報を伝達するサーバであればよい。またネットワークも前述の実施の形態で示した携帯電話網およびインターネットのみならず、公衆電話網、ＬＡＮ（Local Area Networkの略）を用いてもよく、各種ネットワークが組み合わされたネットワークでもよい。
【０１０４】
更に、投稿情報記憶手段２２に記憶される投稿情報の論理構造は階層構造としているが、前記論理構造は実運用システムに合わせて決定されることが望ましい。実際の運用システムにおいては、本明細書に記載していない様々な情報（例えば、利用者のメールアドレス）も投稿情報記憶手段２２に記憶されるからである。
【０１０５】
更に、前述の実施の形態においては、位置情報に関連付けて投稿情報を記憶したが、位置情報に加え他の情報に関連付けて投稿情報を記憶させてもよい。例えば、投稿情報を高度情報を含む位置情報に関連付けて記憶させることもできる。
【０１０６】
この場合、利用者は投稿情報が投稿された高度にいないと、利用者は投稿情報を閲覧することはできない。また利用者が所持する情報端末には、高度情報を含む位置情報を計測する位置情報検出手段を有することが必要である（例えば、３次元の位置情報が測定可能なＧＰＳを備えた携帯電話）。
【０１０７】
更に、前述したように、伝達情報生成手段２１が投稿情報を抽出するために演算する抽出領域の形状が、いかなる形状であっても本発明は実現できる。抽出領域の形状は扇形または円形が好適であるが、四角形、三角形等でもよく、より複雑な形状でも構わない。
【０１０８】
また抽出領域の大きさ（例えば、図４では半径Ｒの長さ）は、予め設定された固定値でもよく、また利用者が抽出領域の縮尺を変更できるようにしてもよく（例えば、図４では半径Ｒの長さを変更する）。
【０１０９】
更に、伝達情報生成手段２１が生成する伝達情報は、情報端末のコンテンツ表示手段１３のスペックに合わせて伝達情報を生成してもよい。例えば、情報端末のコンテンツ表示手段１３が表示できる情報量が小さい場合は、対象物情報を可視化オブジェクトで表示せずに、対象物情報をテキスト表示してもよい。テキスト表示する場合は、投稿情報記録手段２２に記憶されている対象物情報のファイル名をリスト化した情報を表示すればよい。
【０１１０】
加えて、前述の実施の形態で記述した情報伝達サーバの投稿情報登録手段２４は一例にしか過ぎない。投稿情報登録手段２４を、実施の形態に記述していない情報（例えば利用者のニックネーム、メールアドレス等の情報）を登録する手段として用いてもよい。
【図面の簡単な説明】
【０１１１】
【図１】情報伝達システムの構成を説明するための図。
【図２】対象物情報と感情情報の論理構成を説明するための図。
【図３】投稿情報データベースの構成を説明するための図。
【図４】抽出範囲を説明するための図。
【図５】Ｗｅｂサーバが伝達するコンテンツ（対象物情報）の例を示した図。
【図６】Ｗｅｂサーバが伝達するコンテンツ（感情情報）の例を示した図。
【図７】対象物情報投稿用ページの例を示した図。
【図８】感情情報投稿用ページの例を示した図。
【図９】情報伝達工程のフロー図。
【図１０】情報投稿工程のフロー図。
【符号の説明】
【０１１２】
１０  情報端末（携帯電話）
１１  位置情報検出手段
１２  投稿情報作成手段
１３  コンテンツ表示手段
１４  記憶部
２０  情報伝達サーバ（Ｗｅｂサーバ）
２１  伝達情報生成手段
２２  投稿情報記憶手段（投稿情報データベース）
２３  利用者データベース
２４  投稿情報登録手段
４０  抽出領域
５０、５１  対象物情報の可視化オブジェクト
６２、６３  感情情報
【図１】
2005275985.tif 000003
【図２】
2005275985.tif 000004
【図３】
2005275985.tif 000005
【図４】
2005275985.tif 000006
【図５】
2005275985.tif 000007
【図６】
2005275985.tif 000008
【図７】
2005275985.tif 000009
【図８】
2005275985.tif 000010
【図９】
2005275985.tif 000011
【図１０】
2005275985.tif 000012